(57)【要約】【課題】高反射率系の光ディスクは勿論、低反射率系の光ディスクであってもジッタ量を少なくして再生精度を向上できる光ディスク再生装置を提供する。【解決手段】光ディスクの再生が開始されると、フォトディテクタ回路３０では、受光素子３１，３２，３３，３４からのＲＦ信号Ａ，Ｂ，Ｃ，Ｄが分割ＲＦ出力端子ａ，ｂ，ｃ，ｄから出力され、ＲＦ信号Ａ，Ｂ，Ｃ，Ｄを加算した集合ＲＦ信号が集合ＲＦ出力端子ｅから出力される。信号処理装置３５では、前記ＲＦ信号Ａ，Ｂ，Ｃ，ＤをラインＬ１，Ｌ２，Ｌ３，Ｌ４を介して入力して加算した加算ＲＦ信号と、前記集合ＲＦ信号とを、光ディスクの反射率の種類に応じて選択する。例えば、高反射率系の光ディスクを再生する場合は加算ＲＦ信号を選択し、低反射率系の光ディスクを再生する場合は集合ＲＦ信号を選択する。【選択図】      図２
2004326909.tif 000002
【特許請求の範囲】
【請求項１】
光ディスクに記録された情報を読み込むための反射光のうちのメインビームを受光する少なくとも４個の受光素子を持つフォトディテクタ回路を有する光ピックアップを備え、前記光ディスクの記録情報を再生する光ディスク再生装置において、前記４個の受光素子からの信号をそのまま第１，第２，第３，第４のＲＦ信号として出力するための分割ＲＦ出力端子と、第１，第２，第３，第４のＲＦ信号を加算して集合ＲＦ信号として出力するための集合ＲＦ出力端子とを前記フォトディテクタ回路に備え、前記分割ＲＦ出力端子から出力された第１，第２，第３，第４のＲＦ信号を加算する加算手段と、この加算手段から出力された加算ＲＦ信号と前記集合ＲＦ出力端子から出力された集合ＲＦ信号との何れかを選択する選択手段と、前記加算手段から出力された加算ＲＦ信号の最大値と最小値の幅が所定値以上のとき前記選択手段が前記加算手段から出力された加算ＲＦ信号を選択して出力するように制御すると共に前記加算手段から出力された加算ＲＦ信号の最大値と最小値の幅が所定値未満のとき前記選択手段が前記集合ＲＦ出力端子から出力された集合ＲＦ信号を選択して出力するように制御する選択制御手段とを有した信号処理回路を備え、高反射率系の光ディスクを再生する場合は前記加算ＲＦ信号を用い、低反射率系の光ディスクを再生する場合は前記集合ＲＦ信号を用いることを特徴とする光ディスク再生装置。
【請求項２】
光ディスクに記録された情報を読み込むための反射光のうちのメインビームを受光する複数個の受光素子を持つフォトディテクタ回路を有する光ピックアップを備え、前記光ディスクの記録情報を再生する光ディスク再生装置において、前記複数個の受光素子からの信号をそのまま複数個のＲＦ信号として出力するための分割ＲＦ出力端子と、前記複数個のＲＦ信号を加算して集合ＲＦ信号として出力するための集合ＲＦ出力端子とを前記フォトディテクタ回路に備え、前記分割ＲＦ出力端子から出力された複数個のＲＦ信号を加算した加算ＲＦ信号と前記集合ＲＦ出力端子から出力された集合ＲＦ信号とを光ディスクの反射率の種類に応じて選択して出力する信号処理回路を備えたことを特徴とする光ディスク再生装置。
【請求項３】
高反射率系の光ディスクを再生する場合は前記分割ＲＦ出力端子から出力された複数個のＲＦ信号を加算した加算ＲＦ信号を用い、低反射率系の光ディスクを再生する場合は前記集合ＲＦ出力端子から出力された集合ＲＦ信号を用いることを特徴とする請求項２に記載の光ディスク再生装置。
【請求項４】
前記信号処理回路は、前記分割ＲＦ出力端子から出力された第１，第２，第３，第４のＲＦ信号を加算する加算手段と、この加算手段から出力された加算ＲＦ信号と前記集合ＲＦ出力端子から出力された集合ＲＦ信号との何れかを選択する選択手段と、前記加算手段から出力された加算ＲＦ信号の最大値と最小値の幅が所定値以上のとき前記選択手段が前記加算手段から出力された加算ＲＦ信号を選択して出力するように制御すると共に前記加算手段から出力された加算ＲＦ信号の最大値と最小値の幅が所定値未満のとき前記選択手段が前記集合ＲＦ出力端子から出力された集合ＲＦ信号を選択して出力するように制御する選択制御手段とを有したことを特徴とする請求項２に記載の光ディスク再生装置。
【発明の詳細な説明】
【０００１】
【発明の属する技術分野】
本発明は、光ディスクに記録された情報を再生する光ディスク再生装置に関し、特に、高反射率系の光ディスクおよび低反射率系の光ディスクのどちらを再生してもジッタ量を少なくできる機能を有する光ディスク再生装置に関する。
【０００２】
【従来の技術】
図５は、従来の光ディスク再生装置に備えられる光ピックアップに含まれるフォトディテクタと、メイン基板に実装された信号処理回路との接続状態を示すブロック図である。図５において、フォトディテクタ回路６０には、光ディスクに記録された情報を読み込むための反射光のうちのメインビームを受光するフォトダイオードなどで実現される４個の受光素子６１，６２，６３，６４が備えられている。これら４個の受光素子６１，６２，６３，６４から出力されるＲＦ信号Ａ，Ｂ，Ｃ，Ｄは、分割ＲＦ出力端子ａ，ｂ，ｃ，ｄに接続されたラインＬ１１，Ｌ１２，Ｌ１３，Ｌ１４をそれぞれ介して信号処理回路６５に伝搬される。また、フォトディテクタ回路３０内部で、ＲＦ信号ＡとＲＦ信号ＢとＲＦ信号ＣとＲＦ信号Ｄが加算された集合ＲＦ信号は、集合ＲＦ出力端子ｅから出力されるようになっている。
【０００３】
信号処理回路６５とは、例えば、ＲＦアンプ、イコライザ、データ／同期信号分離回路、データデコードエラー訂正回路、ＡＶデコード回路、ミラー検出回路、トラッキングエラー検出回路、フォーカスエラー検出回路、フォーカスドライブ回路、トラッキングドライブ回路、スレッドドライブ回路、スピンドルドライブ回路、システムコントローラ、ＣＰＵなどを含む回路のことを言う。
【０００４】
【特許文献１】
特開平１１−２０３７８７号公報
【特許文献２】
特開平１１−３１２３６６号公報
【０００５】
【発明が解決しようとする課題】
ところで、この従来の光ディスク再生装置において、フォトディテクタ回路６０と信号処理回路６５とを接続するラインＬ１１，Ｌ１２，Ｌ１３，Ｌ１４は例えばＦＦＣ（フレキシブル・フラット・ケーブル）で構成されているので、フォトディテクタ回路６０から信号処理回路６５に伝搬されるＲＦ信号が減衰したり、ノイズの影響でＳ／Ｎが低下したりする傾向がある。
【０００６】
したがって、通常の高反射率系の光ディスクを再生した場合は４個の受光素子６１，６２，６３，６４から出力されるＲＦ信号Ａ，Ｂ，Ｃ，Ｄであっても、信号レベルが高いので問題ないが、例えば、反射率が３０％以下のＤＶＤ±ＲＷやＤＶＤ−ＲＡＭなどのような書換え可能な光ディスクは低反射率であるので、このような低反射率系の光ディスクを再生した場合は、前記ＲＦ信号Ａ，Ｂ，Ｃ，Ｄは信号レベルが低くなり、更に、ラインＬ１１，Ｌ１２，Ｌ１３，Ｌ１４を構成するＦＦＣにより、減衰すると共にＳ／Ｎが低下し、この結果、信号処理回路６５におけるジッタ量が増加し、再生精度が低下するという課題が生じることになる。
【０００７】
なお、特許文献１に記載のイコライザの特性制御回路を備えた光ディスク再生装置では、イコライザの利得特性を変化させ、ジッタ量の改善を図っているが、低反射率系の光ディスクを再生した場合は、光ピックアップから出力されるＲＦ信号のレベルが低くなるので、ジッタ量が増加し、上記課題を解決できるものではない。
【０００８】
また、特許文献２に記載の光ディスク用データ読み出し装置では、ジッタ量に応じてイコライザ定数を変化させ、イコライザ性能の向上を図っているが、この従来技術も前記従来技術と同様、低反射率系の光ディスクを再生した場合は、光ピックアップから出力されるＲＦ信号のレベルが低くなるので、ジッタ量が増加し、上記課題を解決できるものではない。
【０００９】
本発明は、上記のような課題を解決するためになされたもので、再生する光ディスクが高反射率系の光ディスクは勿論、低反射率系の光ディスクであってもジッタ量を少なくして、再生精度を向上させることができる光ディスク再生装置を提供することを目的とする。
【００１０】
【課題を解決するための手段】
上記目的を達成するために、請求項１の発明は、光ディスクに記録された情報を読み込むための反射光のうちのメインビームを受光する少なくとも４個の受光素子を持つフォトディテクタ回路を有する光ピックアップを備え、前記光ディスクの記録情報を再生する光ディスク再生装置において、前記４個の受光素子からの信号をそのまま第１，第２，第３，第４のＲＦ信号として出力するための分割ＲＦ出力端子と、第１，第２，第３，第４のＲＦ信号を加算して集合ＲＦ信号として出力するための集合ＲＦ出力端子とを前記フォトディテクタ回路に備え、前記分割ＲＦ出力端子から出力された第１，第２，第３，第４のＲＦ信号を加算する加算手段と、この加算手段から出力された加算ＲＦ信号と前記集合ＲＦ出力端子から出力された集合ＲＦ信号との何れかを選択する選択手段と、前記加算手段から出力された加算ＲＦ信号の最大値と最小値の幅が所定値以上のとき前記選択手段が前記加算手段から出力された加算ＲＦ信号を選択して出力するように制御すると共に前記加算手段から出力された加算ＲＦ信号の最大値と最小値の幅が所定値未満のとき前記選択手段が前記集合ＲＦ出力端子から出力された集合ＲＦ信号を選択して出力するように制御する選択制御手段とを有した信号処理回路を備え、高反射率系の光ディスクを再生する場合は前記加算ＲＦ信号を用い、低反射率系の光ディスクを再生する場合は前記集合ＲＦ信号を用いることを特徴とする光ディスク再生装置を提供する。
【００１１】
この構成において、光ディスクの再生が開始されると、フォトディテクタ回路では４個の受光素子からの第１，第２，第３，第４のＲＦ信号が分割ＲＦ出力端子から出力され、第１，第２，第３，第４のＲＦ信号を加算した集合ＲＦ信号が集合ＲＦ出力端子から出力される。信号処理装置では、前記分割ＲＦ出力端子から出力された第１，第２，第３，第４のＲＦ信号が加算手段で加算され、この加算手段から出力された加算ＲＦ信号の最大値と最小値の幅が所定値以上のとき、選択制御手段の制御により、選択手段は加算手段から出力された加算ＲＦ信号を選択して出力し、加算手段から出力された加算ＲＦ信号の最大値と最小値の幅が所定値未満のとき、選択制御手段の制御により、選択手段は前記集合ＲＦ出力端子から出力された集合ＲＦ信号を選択して出力する。
【００１２】
即ち、この構成の光ディスク再生装置によれば、高反射率系の光ディスクを再生する場合は前記加算ＲＦ信号を用い、低反射率系の光ディスクを再生する場合は前記集合ＲＦ信号を用いるので、再生する光ディスクが高反射率系の光ディスクは勿論、低反射率系の光ディスクであってもジッタ量を少なくして、再生精度を向上させることができる。
【００１３】
請求項２の発明は、光ディスクに記録された情報を読み込むための反射光のうちのメインビームを受光する複数個の受光素子を持つフォトディテクタ回路回路を有する光ピックアップを備え、前記光ディスクの記録情報を再生する光ディスク再生装置において、前記複数個の受光素子からの信号をそのまま複数個のＲＦ信号として出力するための分割ＲＦ出力端子と、前記複数個のＲＦ信号を加算して集合ＲＦ信号として出力するための集合ＲＦ出力端子とを前記フォトディテクタ回路に備え、前記分割ＲＦ出力端子から出力された複数個のＲＦ信号を加算した加算ＲＦ信号と前記集合ＲＦ出力端子から出力された集合ＲＦ信号とを光ディスクの反射率の種類に応じて選択して出力する信号処理回路を備えたことを特徴とする光ディスク再生装置を提供する。
【００１４】
この構成において、光ディスクの再生が開始されると、フォトディテクタ回路では、複数個の受光素子からの複数個のＲＦ信号が分割ＲＦ出力端子から出力され、複数個のＲＦ信号を加算した集合ＲＦ信号が集合ＲＦ出力端子から出力される。信号処理装置では、分割ＲＦ出力端子から出力された複数個のＲＦ信号が加算された加算ＲＦ信号と、集合ＲＦ出力端子から出力された集合ＲＦ信号とが、光ディスクの反射率の種類に応じて選択される。例えば、高反射率系の光ディスクを再生する場合は前記加算ＲＦ信号が選択され、低反射率系の光ディスクを再生する場合は前記集合ＲＦ信号が選択される。
【００１５】
即ち、この構成の光ディスク再生装置によれば、例えば、高反射率系の光ディスクを再生する場合は前記加算ＲＦ信号を用い、低反射率系の光ディスクを再生する場合は前記集合ＲＦ信号を用いることができるので、再生する光ディスクが高反射率系の光ディスクは勿論、低反射率系の光ディスクであってもジッタ量を少なくして、再生精度を向上させることができる。
【００１６】
請求項３の発明では、高反射率系の光ディスクを再生する場合は前記分割ＲＦ出力端子から出力された複数個のＲＦ信号を加算した加算ＲＦ信号を用い、低反射率系の光ディスクを再生する際は前記集合ＲＦ出力端子から出力された集合ＲＦ信号を用いるので、どちらの光ディスクを再生しても、ジッタ量が少なくなり、再生精度を高めることができる。
【００１７】
請求項４の発明では、前記信号処理回路は、前記分割ＲＦ出力端子から出力された第１，第２，第３，第４のＲＦ信号を加算する加算手段と、この加算手段から出力された加算ＲＦ信号と前記集合ＲＦ出力端子から出力された集合ＲＦ信号との何れかを選択する選択手段と、前記加算手段から出力された加算ＲＦ信号の最大値と最小値の幅が所定値以上のとき前記選択手段が前記加算手段から出力された加算ＲＦ信号を選択して出力するように制御すると共に前記加算手段から出力された加算ＲＦ信号の最大値と最小値の幅が所定値未満のとき前記選択手段が前記集合ＲＦ出力端子から出力された集合ＲＦ信号を選択して出力するように制御する選択制御手段とを有した信号処理回路を備えたので、高反射率系の光ディスクを再生する場合は前記加算ＲＦ信号を選択でき、低反射率系の光ディスクを再生する場合は前記集合ＲＦ信号を選択できる。
【００１８】
【発明の実施の形態】
以下、添付図面を参照しつつ、本発明の実施の形態について説明する。図１は本発明の一実施形態に係る光ディスク再生装置の構成を示すブロック図である。図１において、この光ディスク再生装置は、光ディスク１に記録された情報を再生するためにレーザ光を出射すると共に光ディスク１からの反射光を受光する光ピックアップ３と、光ディスク１を回転させるスピンドルモータ２と、このスピンドルモータ２を駆動するスピンドルドライブ回路１９と、光ピックアップ３のトラッキングサーボを行うアクチュエータ（図示せず）を駆動するトラッキングドライブ回路１７と、光ピックアップ３のフォーカスサーボを行うアクチュエータ（図示せず）を駆動するフォーカスドライブ回路１６と、光ピックアップ３を光ディスク１の半径方向に移動させるスレッド４と、このスレッド４を駆動するスレッドドライブ回路１８とを備えている。
【００１９】
また、この光ディスク再生装置は、光ディスク１の再生時に光ピックアップ３により読み取られたＲＦ信号を増幅するＲＦアンプ５と、このＲＦアンプ５からのＲＦ信号の利得を制御するイコライザ２０と、ＶＣＯ（ｖｏｌｔａｇｅ  ｃｏｎｔｒｏｌｌｅｄ  ｏｓｃｉｌｌａｔｏｒ）を含むＰＬＬ（ｐｈａｓｅ  ｌｏｃｋｅｄ  ｌｏｏｐ）８を備えイコライザ２０からのＲＦ信号を入力してデータと同期信号を分離するデータ／同期信号分離回路６と、このデータ／同期分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号を出力するＡＶデコード回路１０とを備えている。
【００２０】
また、このディスク再生装置は、ＲＦアンプ５からのＲＦ信号に含まれ光ディスク１上のトラックの無いミラー面を示すミラー信号を検出してミラー面をカウントするミラー検出回路７と、ＲＦアンプ５からのＲＦ信号に含まれるトラッキングエラー信号を検出するトラッキングエラー検出回路１１と、ＲＦアンプ５からのＲＦ信号に含まれるフォーカスエラー信号を検出するフォーカスエラー検出回路１２と、トラッキングエラー検出回路１１からのトラッキングエラー信号に基づいてトラッククロスを検出してトラックパルスを出力するトラッククロス検出回路１３とを備えている。
【００２１】
また、この光ディスク再生装置は、装置全体の処理を行うＣＰＵ１５に従って上記各構成要素を制御するシステムコントローラ１４を備えている。このシステムコントローラ１４は、ＲＦアンプ５からのＲＦ信号に含まれるフォーカスエラー信号に基づいて光ピックアップ３のフォーカスサーボのための制御、ＲＦアンプ５からのＲＦ信号に含まれるトラッキングエラー信号に基づいて光ピックアップ３のトラッキングサーボのための制御、スレッドドライブ回路１８を介してスレッド４を駆動して光ピックアップ３を光ディスク１の半径方向に移動させる制御、スピンドルドライブ回路１９を介してスピンドルモータ２を回転させる制御などを行う。
【００２２】
図２は、本実施形態における光ピックアップに備えられるフォトディテクタ回路とメイン基板に実装された信号処理回路の接続状態を示すブロック図である。図２において、フォトディテクタ回路３０には、光ディスクに記録された情報を読み込むための反射光のうちのメインビームを受光するフォトダイオードなどで実現される４個の受光素子３１，３２，３３，３４が備えられている。これら４個の受光素子３１，３２，３３，３４から出力されるＲＦ信号Ａ，Ｂ，Ｃ，Ｄは、分割ＲＦ出力端子ａ，ｂ，ｃ，ｄに接続されたラインＬ１，Ｌ２，Ｌ３，Ｌ４をそれぞれ介して信号処理回路３５に伝搬される。また、フォトディテクタ回路３０内部で、ＲＦ信号ＡとＲＦ信号ＢとＲＦ信号ＣとＲＦ信号Ｄが加算された集合ＲＦ信号は、集合ＲＦ出力端子ｅに接続されたラインＬ５を介して信号処理回路３５に伝搬される。
【００２３】
信号処理回路３５とは、例えば図１中で言えば、ＲＦアンプ５、イコライザ２０、データ／同期信号分離回路６、データデコードエラー訂正回路９、ＡＶデコード回路１０、ミラー検出回路７、トラッキングエラー検出回路１１、フォーカスエラー検出回路１２、フォーカスドライブ回路１６、トラッキングドライブ回路１７、スレッドドライブ回路１８、スピンドルドライブ回路１９、システムコントローラ１４、ＣＰＵ１５などを含む回路のことを言う。
【００２４】
図３は、図２で説明した信号処理回路３５に含まれる図１中のＲＦアンプ５内の本実施形態の特徴とする構成を示すブロック図である。このＲＦアンプ５には図２中のフォトディテクタ回路３０の受光素子３１，３２，３３，３４からのＲＦ信号Ａ，Ｂ，Ｃ，ＤをラインＬ１，Ｌ２，Ｌ３，Ｌ４を介して入力し、ＲＦ信号Ａ＋ＲＦ信号Ｂ＋ＲＦ信号Ｃ＋ＲＦ信号Ｄと言うように加算して、加算ＲＦ信号として出力する加算手段としての加算回路５１と、この加算回路５１から出力された加算ＲＦ信号と図２中のフォトディテクタ回路３０の集合ＲＦ出力端子ｅからラインＬ５を介して入力された集合ＲＦ信号との何れかを選択する選択手段としての選択回路５２とが備えられている。
【００２５】
また、このＲＦアンプ５には、加算回路５１から出力された加算ＲＦ信号の最大値と最小値の幅が所定値以上のとき選択回路５２が加算回路５１から出力された加算ＲＦ信号を選択して出力するように制御すると共に、加算回路５１から出力された加算ＲＦ信号の最大値と最小値の幅が所定値未満のとき選択回路５２がフォトディテクタ回路３０の集合ＲＦ出力端子ｅ（図２参照）から出力された集合ＲＦ信号を選択して出力するように制御する選択制御手段としての選択制御回路５４とが備えられている。
【００２６】
選択制御回路５４は、高反射率系の光ディスクを再生する際は、前記分割ＲＦ出力端子ａ，ｂ，ｃ，ｄから出力された４個のＲＦ信号Ａ，Ｂ，Ｃ，Ｄを加算した加算ＲＦ信号を用い、低反射率系の光ディスクを再生する際は、前記集合ＲＦ出力端子ｅから出力された集合ＲＦ信号を用いるように、選択回路５２を制御する。
【００２７】
このような制御を行うため、加算回路５１から出力された加算ＲＦ信号を入力してＡ／Ｄ変換回路５３でデジタル信号に変換し、このデジタル信号を選択制御回路５４に入力する。これにより、選択制御回路５４は、その入力されたデジタル信号のうち前記加算ＲＦ信号の最大値と最小値の幅に対応するＰ−Ｐレベル値と、予め定めた所定値とを比較し、Ｐ−Ｐレベル値が所定値以上のとき、選択回路５２が加算回路５１から出力された加算ＲＦ信号を選択してラインＬ６へ出力できるように加算ＲＦ選択信号を選択回路５２に供給し、一方、Ｐ−Ｐレベル値が所定値未満のとき、選択回路５２がフォトディテクタ回路３０の集合ＲＦ出力端子ｅ（図２参照）から出力された集合ＲＦ信号を選択してラインＬ６へ出力できるように集合ＲＦ選択信号を選択回路５２に供給する。
【００２８】
なお、ここで言う低反射率系の光ディスクとは、例えば反射率が３０％以下のＤＶＤ±ＲＷやＤＶＤ−ＲＡＭなどの書換え可能な光ディスクのことを言う。したがって、このような低反射率系の光ディスクを再生した場合に、選択回路５２がラインＬ５からの集合ＲＦ信号を選択してラインＬ６へ出力できるように、前記所定値を設定する。即ち、低反射率系の光ディスクを再生しているときに、加算回路５１から出力される加算ＲＦ信号のＰ−Ｐレベル値が所定値未満になり、高反射率系の光ディスクを再生しているときに、加算回路５１から出力される加算ＲＦ信号のＰ−Ｐレベル値が所定値以上になるように、前記所定値を設定する。
【００２９】
前記加算ＲＦ信号（Ａ＋Ｂ＋Ｃ＋Ｄ）を採用して再生した場合、高反射率系の光ディスクに対してはジッタ量が小さくてジッタは良いが、低反射率系の光ディスクに対してはジッタ量が大きくてジッタは悪い。前記集合ＲＦ信号を採用して再生した場合、高反射率系の光ディスクに対してはジッタ量が大きくてジッタは悪いが、低反射率系の光ディスクに対してはジッタ量が小さくてジッタは良い。したがって、高反射率系の光ディスクを再生する場合はジッタの良い加算ＲＦ信号を採用し、低反射率系の光ディスクを再生する場合はジッタの良い集合ＲＦ信号を採用する。
【００３０】
なお、集合ＲＦ信号は、フォトディテクタ回路３０においてＲＦ信号Ａ，Ｂ，Ｃ，Ｄが加算された状態で出力されるため、信号レベルが大きく、ノイズに強いという利点があるが、高反射率系の光ディスクを再生する場合、集合ＲＦ信号は、信号レベルが大きすぎて信号処理回路３５の入力ダイナミックレンジを超えてしまう虞があるので、この場合には前記加算ＲＦ信号を採用する方が良い。したがって、再生する光ディスクの反射率に応じて、加算ＲＦ信号と集合ＲＦ信号を使い分ければ、常に最良のジッタを得ることができる。
【００３１】
次に、図４に示すフローチャートを参照して本実施形態の特徴とするＲＦ信号選択処理について説明する。この光ディスク再生装置により光ディスク１に対する再生動作が開始すると（ステップＳ１）、光ピックアップ３に備えられるフォトディテクタ回路３０の受光素子３１，３２，３３，３４からはＲＦ信号Ａ，Ｂ，Ｃ，Ｄが出力され（ステップＳ２）、ラインＬ１，Ｌ２，Ｌ３，Ｌ４を介して加算回路５１に伝搬される。加算回路５１では、ＲＦ信号Ａ，Ｂ，Ｃ，Ｄを加算し、加算ＲＦ信号として出力し、Ａ／Ｄ変換回路５３に入力する。Ａ／Ｄ変換回路５３では、その加算ＲＦ信号をＡ／Ｄ変換し（ステップＳ３）、選択制御回路５４に入力する。
【００３２】
選択制御回路５４では、加算ＲＦ信号のＰ−Ｐレベルを示すデジタルのＰ−Ｐレベル値を検出し、このＰ−Ｐレベル値が、所定値以上であるか否かを判定する（ステップＳ４）。Ｐ−Ｐレベル値が所定値以上である場合は、加算ＲＦ信号を用いて再生するとジッタ量が少なくなる高反射率系の光ディスクが再生開始したと推測できるので、選択制御回路５４は、加算ＲＦ選択信号を出力して（ステップＳ５）、選択回路５２に入力する。これにより、選択回路５２は、加算回路５１からの加算ＲＦ信号を選択してラインＬ６に出力する（ステップＳ６）。
【００３３】
この場合、ラインＬ６に出力された信号は加算ＲＦ信号であり、この加算ＲＦ信号は、イコライザ２０、ミラー検出回路７、トラッキングエラー検出回路１１、およびフォーカスエラー検出回路１２に供給され、この高反射率系の光ディスクに対する再生が加算ＲＦ信号によって行われ、したがって、信号処理回路３５におけるジッタ量が少なくなり（ジッタが良くなり）、イコライザ２０の性能を十分に生かせ、再生精度が向上する。
【００３４】
一方、Ｐ−Ｐレベル値が所定値未満である場合は、集合ＲＦ信号を用いて再生するとジッタ量が少なくなる低反射率系の光ディスクが再生開始したと推測できるので、選択制御回路５４は、集合ＲＦ選択信号を出力して（ステップＳ７）選択回路５２に入力する。これにより、選択回路５２は、ラインＬ５からの集合ＲＦ信号を選択してラインＬ６に出力する（ステップＳ８）。
【００３５】
この場合、ラインＬ６に出力された信号は集合ＲＦ信号であり、この集合ＲＦ信号は、イコライザ２０、ミラー検出回路７、トラッキングエラー検出回路１１、およびフォーカスエラー検出回路１２に供給され、この低反射率系の光ディスクに対する再生が集合ＲＦ信号によって行われ、したがって、信号処理回路３５におけるジッタ量が少なくなり（ジッタが良くなり）、イコライザ２０の性能を十分に生かせ、再生精度が向上する。
【００３６】
なお、以上説明した実施形態では、再生する光ディスクの反射率の種類に応じて、再生に使用するＲＦ信号（加算ＲＦ信号、集合ＲＦ信号）を自動的に選択するようにしたが、例えば、再生しようとする光ディスクの反射率が高反射率であるか低反射率であるかをユーザが予め知っていれば、選択制御回路５４に加算ＲＦ選択信号または集合ＲＦ選択信号を出力するための選択設定を行うこともできる。しかし、このような選択設定を行わずに自動的に行うようにする方がユーザにとっては便利で使い勝ってが良い。
【００３７】
【発明の効果】
以上のように本発明によれば、光ディスクの再生が開始されると、フォトディテクタ回路では４個の受光素子からの第１，第２，第３，第４のＲＦ信号が分割ＲＦ出力端子から出力され、第１，第２，第３，第４のＲＦ信号を加算した集合ＲＦ信号が集合ＲＦ出力端子から出力され、信号処理装置では、前記分割ＲＦ出力端子から出力された第１，第２，第３，第４のＲＦ信号が加算手段で加算され、この加算手段から出力された加算ＲＦ信号の最大値と最小値の幅が所定値以上のとき、選択制御手段の制御により、選択手段は加算手段から出力された加算ＲＦ信号を選択して出力し、加算手段から出力された加算ＲＦ信号の最大値と最小値の幅が所定値未満のとき、選択制御手段の制御により、選択手段は前記集合ＲＦ出力端子から出力された集合ＲＦ信号を選択して出力するので、高反射率系の光ディスクを再生する場合は前記加算ＲＦ信号を用いることができ、低反射率系の光ディスクを再生する場合は前記集合ＲＦ信号を用いることができ、したがって再生する光ディスクが高反射率系の光ディスクは勿論、低反射率系の光ディスクであってもジッタ量を少なくして、再生精度を向上させることができる。
【００３８】
また、本発明によれば、光ディスクの再生が開始されると、フォトディテクタ回路では、複数個の受光素子からの複数個のＲＦ信号が分割ＲＦ出力端子から出力され、複数個のＲＦ信号を加算した集合ＲＦ信号が集合ＲＦ出力端子から出力され、信号処理装置では、分割ＲＦ出力端子から出力された複数個のＲＦ信号が加算された加算ＲＦ信号と、集合ＲＦ出力端子から出力された集合ＲＦ信号とが光ディスクの反射率の種類に応じて選択されるので、例えば、高反射率系の光ディスクを再生する場合は前記加算ＲＦ信号を選択でき、低反射率系の光ディスクを再生する場合は前記集合ＲＦ信号を選択でき、したがって、再生する光ディスクが高反射率系の光ディスクは勿論、低反射率系の光ディスクであってもジッタ量を少なくして、再生精度を向上させることができる。
【図面の簡単な説明】
【図１】本発明の一実施形態に係る光ディスク再生装置の構成を示すブロック図である。
【図２】前記実施形態における光ピックアップに備えられるフォトディテクタ回路とメイン基板に実装された信号処理回路の接続状態を示すブロック図である。
【図３】前記実施形態における信号処理回路に含まれるＲＦアンプ内の特徴とする構成を示すブロック図である。
【図４】前記実施形態の特徴とするＲＦ信号選択処理について説明するためのフローチャートである。
【図５】従来の光ディスク再生装置に備えられる光ピックアップに含まれるフォトディテクタと、メイン基板に実装された信号処理回路との接続状態を示すブロック図である。
【符号の説明】
１    光ディスク
３    光ピックアップ
３０    フォトディテクタ回路
３１，３２，３３，３４    受光素子
３５    信号処理回路
５１    加算回路（加算手段）
５２    選択回路（選択手段）
５４    選択制御回路（選択制御手段）
ａ，ｂ，ｃ，ｄ    分割ＲＦ出力端子
ｅ    集合ＲＦ出力端子
【図１】
2004326909.tif 000003
【図２】
2004326909.tif 000004
【図３】
2004326909.tif 000005
【図４】
2004326909.tif 000006
【図５】
2004326909.tif 000007